(57)【要約】【課題】建物ユニットを配置すべき領域の平面形状が異なっても、構造計算等をやり直すことなく、建物ユニットを離し置きして配置できる建物ユニットの配置方法を提供する。【解決手段】基準領域Ａと基準面積Ｓとを、基準領域Ａに、その対向する二辺に沿って、それぞれ基準建物ユニットＢがその長辺方向において２個隣接配置でき、かつ、短辺方向において所定の間隔Ｌをもって離し置きできるように、設定しておき、建物ユニット１，２を配置すべき領域Ａ１の面積Ｓ１を基準面積Ｓの95％〜100％とするとともに、領域Ａ１の平面形状を基準領域Ａと異ならせ、この平面形状を異ならせた領域Ａ１に、その対向する二辺に沿って、それぞれ基準ユニットＢと平面形状とその大きさが異なる平面矩形状の建物ユニット１，２を、その長辺方向において２個隣接配置し、かつ、短辺方向において適当な間隔Ｌ１をもって離し置きする。【選択図】図２
2011256563.tif 000002
【特許請求の範囲】
【請求項１】
平面矩形状の領域に、平面矩形状の建物ユニットを複数配置する建物ユニットの配置方法であって、
平面矩形状の設計上の基準領域と、その面積である基準面積とを、前記基準領域に、その対向する二辺に沿って、それぞれ設計上の基準となる平面矩形状の基準建物ユニットがその長辺方向においてｎ（ｎは２以上の整数）個隣接するとともに前記基準領域に隙間を生じさせることなく配置でき、かつ、短辺方向において所定の間隔をもって離し置きできるように、設定しておき、
前記建物ユニットを配置すべき領域の面積を前記基準面積の９５〜１００％の範囲とするとともに、前記領域の平面形状を前記基準領域の平面形状と異ならせ、
前記領域に、その対向する二辺に沿って、それぞれ前記基準ユニットと平面形状とその大きさが異なる平面矩形状の建物ユニットを、その長辺方向においてｎ個隣接するとともに前記領域に隙間を生じさせることなく配置し、かつ、短辺方向において適当な間隔をもって離し置きすることを特徴とする建物ユニットの配置方法。
【請求項２】
請求項１に記載の建物ユニットの配置方法において、
前記領域に配置される全ての建物ユニットの短辺方向の長さが等しいことを特徴とする建物ユニットの配置方法。
【請求項３】
請求項１または２に記載の建物ユニットの配置方法において、
前記建物ユニットが配置される領域に隣接して、１個の建物ユニットを配置可能な追加領域が配置されており、この追加領域に１個の建物ユニットを配置することを特徴とする建物ユニットの配置方法。
【請求項４】
請求項１〜３のいずれか一項に記載の建物ユニットの配置方法において、
前記領域に前記建物ユニットを配置した後、前記建物ユニットの短辺方向に適当な間隔をもって離し置きされた建物ユニットどうしを連結部材で連結することを特徴とする建物ユニットの配置方法。
【請求項５】
請求項１〜４のいずれか一項に記載の建物ユニットの配置方法において、
前記複数の建物ユニットのうち、所定の建物ユニットの天井部にセントラル換気装置本体が設けられていることを特徴とする建物ユニットの配置方法。
【発明の詳細な説明】
【技術分野】
【０００１】
本発明は、平面視矩形状の領域に、平面視矩形状の建物ユニットを複数配置する建物ユニットの配置方法に関する。
【背景技術】
【０００２】
柱、梁によって略直方体状の骨組みを備えた建物ユニットを複数並べて施工され、隣り合う少なくとも２つの建物ユニットを離して配置した離し置き部（ジョイントスペース）を備えたユニット式建物がある（例えば、特許文献１参照）。離し置き部には、間隔寸法に応じた長さの連結梁が配置され、この連結梁によって離し置きされた建物ユニットどうしが連結されている。
【先行技術文献】
【特許文献】
【０００３】
【特許文献１】特開２０１０−１０１１２１号公報
【発明の概要】
【発明が解決しようとする課題】
【０００４】
ところで、建物ユニットは建物を施工すべき敷地中の平面視矩形の領域に配置して設置されるが、この領域の平面形状は必ずしも同じ形状ではなく、敷地の大きさ、形状等によって縦横の長さが変わってくる。
一方、建物ユニットを前記領域に配置する場合、領域の大きさ、建物ユニットの大きさ、形状、離し置き間隔等を考慮して、予め構造計算等がされて、設計されている。
したがって、領域の平面形状が異なってくると、その都度、領域の大きさ、建物ユニットの大きさ、形状、離し置き間隔等を考慮して、設計し直す必要があり、手間がかかっていた。
【０００５】
本発明は上記事情に鑑みてなされたもので、建物ユニットを配置すべき領域の平面形状が異なっても、構造計算等をやり直すことなく、建物ユニットを離し置きして配置できる建物ユニットの配置方法を提供することを課題としている。
【課題を解決するための手段】
【０００６】
上記課題を解決するために、請求項１に記載の発明は、例えば図１および図２に示すように、平面矩形状の領域Ａ１に、平面矩形状の建物ユニット１，２を複数配置する建物ユニットの配置方法であって、
平面矩形状の設計上の基準領域Ａと、その面積である基準面積Ｓとを、前記基準領域Ａに、その対向する二辺に沿って、それぞれ設計上の基準となる平面矩形状の基準建物ユニットＢがその長辺方向においてｎ（ｎは２以上の整数）個隣接するとともに前記基準領域Ａに隙間を生じさせることなく配置でき、かつ、短辺方向において所定の間隔Ｌをもって離し置きできるように、設定しておき、
前記建物ユニット１，２を配置すべき領域Ａ１の面積Ｓ１を前記基準面積Ｓの９５％〜１００％とするとともに、前記領域Ａ１の平面形状を前記基準領域Ａの平面形状と異ならせ、
この平面形状を異ならせた前記領域Ａ１に、その対向する二辺に沿って、それぞれ前記基準ユニットＢと平面形状とその大きさが異なる平面矩形状の建物ユニット１，２を、その長辺方向においてｎ個（例えば２個）隣接するとともに前記領域Ａ１に隙間を生じさせることなく配置し、かつ、短辺方向において適当な間隔Ｌ１をもって離し置きすることを特徴とする。
【０００７】
ここで、前記基準領域Ａの長辺に沿って基準建物ユニットＢを配置する場合において、建物ユニット１，１を配置すべき領域Ａ１の長辺が、基準領域Ａの長辺より短い場合、領域Ａ１の短辺は基準領域Ａの短辺より長くなり、これに伴って、建物ユニット１，１間の間隔Ｌ１も、前記基準領域Ａの場合における間隔Ｌより長くなる。
【０００８】
請求項１に記載の発明によれば、面積Ｓ１を基準面積Ｓの９５％〜１００％とするとともに、平面形状を基準領域Ａの平面形状と異ならせた領域Ａ１に、その対向する二辺に沿って、それぞれ基準ユニットBと平面形状とその大きさが異なる平面矩形状の建物ユニット１，２を、その長辺方向においてｎ個隣接するとともに前記領域Ａ１に隙間を生じさせることなく配置し、かつ、短辺方向において適当な間隔Ｌ１をもって離し置きするので、領域Ａ１に対する建物ユニット１，２の配置状態は、基準領域Ａに対する基準建物ユニットＢの配置の配置状態に近似し、かつ、領域Ａ１の面積も基準面積Ａの９５％〜１００％である。
したがって、建物ユニット１，２を配置すべき領域Ａ１の平面形状が基準領域Ａと異なっても、構造計算等をやり直すことなく、建物ユニット１，２を離し置きして配置できる。
【０００９】
請求項２に記載の発明は、請求項１に記載の建物ユニットの配置方法において、
前記領域Ａ１に配置される全ての建物ユニット１，２の短辺方向の長さが等しいことを特徴とする。
【００１０】
請求項２に記載の発明によれば、領域Ａ１に配置される全ての建物ユニット１，２の短辺方向の長さが等しいので、前記領域Ａ１にその対向する二辺に沿って、それぞれ建物ユニット１，２を、その長辺方向においてｎ個隣接配置した場合に、建物ユニット１，２の短辺方向において所定の間隔Ｌ１をもって離し置きした建物ユニット１，１（２，２）間の離間距離は一定となる。したがって、建物ユニット１，１（２，２）どうしを一定長さの連結部材３で容易に連結できる。
【００１１】
請求項３に記載の発明は、例えば図６に示すように、請求項１または２に記載の建物ユニットの配置方法において、
前記建物ユニット１，２が配置される領域Ａ１に隣接して、１個の建物ユニット１を配置可能な追加領域ａが配置されており、この追加領域ａに１個の建物ユニット１を配置することを特徴とする。
【００１２】
請求項３に記載の発明によれば、領域Ａ１に隣接して配置された追加領域ａに、１個の建物ユニット１を配置するので、建物ユニット１を１個自由に付加できる。したがって、この建物ユニット１の上をルーフバルコニーとする場合等に有効である。
【００１３】
請求項４に記載の発明は、例えば図２に示すように、請求項１〜３のいずれか一項に記載の建物ユニットの配置方法において、
前記領域Ａ１に前記建物ユニット１，２を配置した後、前記建物ユニット１，２の短辺方向に適当な間隔Ｌ１をもって離し置きされた建物ユニット１，１（２，２）どうしを連結部材３で連結することを特徴とする。
【００１４】
請求項４に記載の発明によれば、建物ユニット１，２の短辺方向に適当な間隔をもって離し置きされた建物ユニット１，１（２，２）どうしを連結部材３によって連結することによって、建物ユニット１，１（２，２）間の距離を確実に保持できる。
【００１５】
請求項５に記載の発明は、例えば図２および図４に示すように、請求項１〜４のいずれか一項に記載の建物ユニットの配置方法において、
前記複数の建物ユニット１，２のうち、所定の建物ユニット２の天井部にセントラル換気装置本体２０が設けられていることを特徴とする。
【００１６】
請求項５に記載の発明によれば、所定の建物ユニット２の天井部にセントラル換気装置本体２０が設けられているので、建物ユニット１，２を配置すべき領域Ａ１の平面形状が異なっても、セントラル換気装置本体２０を備えたユニット式建物を容易に得ることができきる。
【発明の効果】
【００１７】
本発明によれば、基準面積の９５％〜１００％とするとともに、平面形状を前記基準領域の平面形状と異ならせた領域に、その対向する二辺に沿って、それぞれ前記基準ユニットと平面形状とその大きさが異なる平面矩形状の建物ユニットを、その長辺方向においてｎ個隣接するとともに前記領域に隙間を生じさせることなく配置し、かつ、短辺方向において適当な間隔をもって離し置きするので、領域に対する建物ユニットの配置状態は、基準領域に対する基準建物ユニットの配置の配置状態に近似し、かつ、領域の面積も基準面積の９５％〜１００％である。
したがって、建物ユニットを配置すべき領域の平面形状が基準領域と異なっても、構造計算等をやり直すことなく、建物ユニットを離し置きして配置できる。
【図面の簡単な説明】
【００１８】
【図１】本発明に係る建物ユニットの配置方法の第１の実施の形態を説明するためのもので、設計上の基準領域と基準建物ユニットを示す平面図である。
【図２】同、領域とこの領域に配置された建物ユニットを示す平面図である。
【図３】同、建物ユニットの骨組の斜視図である。
【図４】同、セントラル換気装置本体の配置状態を示す図である。
【図５】本発明に係る建物ユニットの配置方法の第２の実施の形態を説明するためのもので、領域とこの領域に配置された建物ユニットを示す平面図である。
【図６】本発明に係る建物ユニットの配置方法の第３の実施の形態を説明するためのもので、領域とこの領域に配置された建物ユニットを示す平面図である。
【発明を実施するための形態】
【００１９】
以下、図面を参照して本発明の実施の形態について説明する。
（第１の実施の形態）
図１は本発明に係る建物ユニットの配置方法を説明するためのもので、設計上の基準領域Ａと基準建物ユニットＢを示す平面図である。
図１に示すように、基準領域Ａは、平面視矩形状のものであり、縦の長さが５．５Ｍ（モジュール）、横の長さが１２Ｍ（モジュール）に設定されている。したがって、基準領域の基準面積Ｓは５．５Ｍ×１２Ｍ＝６６Ｍ2となっている。
ここで、モジュールとは、建築のあらゆる部分を一定の大きさの倍数関係に整える際の基準となる寸法をいい、特に限定されるものではないが、例えば９００ｍｍ、９１０ｍｍ、１０００ｍｍ等の寸法がある。
【００２０】
基準領域Ａには、その対向する二辺（対向する長辺）に沿って設計上の基準となる基準建物ユニットＢがその長辺方向において２個隣接配置され、かつ、短辺方向において所定の間隔Ｌをもって離し置きされ、合計４個配置されるようになっている。また、基準建物ユニットＢは基準領域Ａの長辺方向において基準領域Ａに隙間を生じさせることなく、配置されるようになっている。
基準建物ユニットＢは、平面視矩形状のものであり、縦の長さが２．５Ｍ（モジュール）、横の長さが６Ｍ（モジュール）に設定されている。また、間隔Ｌは０．５Ｍ（モジュール）に設定されている。
このようにして、平面矩形状の設計上の基準領域Ａと、その面積である基準面積Ｓ（＝６６Ｍ2）とを、基準領域Ａに、その対向する二辺に沿って、それぞれ設計上の基準となる平面矩形状の基準建物ユニットＢがその長辺方向において２個隣接配置でき、かつ、短辺方向において所定の間隔Ｌをもって離し置きできるように、設定しておく。
【００２１】
図２は、本発明に係る建物ユニットの配置方法によって配置された建物ユニット１，２を示す平面図である。
建物ユニット１，２を配置すべき領域Ａ１は、平面視矩形状のものであり、縦の長さが７．５Ｍ（モジュール）、横の長さが８．５Ｍ（モジュール）となっている。したがって、この領域Ａ１の面積Ｓ１は７．５Ｍ×８．５Ｍ＝６３．７５Ｍ2となっており、前記基準面積６６Ｍ2の９７％となっている。
このように、建物ユニット１，２を配置すべき領域Ａ１の面積Ｓ１を基準面積Ｓの９５〜１００％の範囲とするとともに、領域Ａ１の平面形状を基準領域Ａの平面形状と異ならせている。
【００２２】
そして、領域Ａ１に、その対向する二辺（対向する長辺）に沿って、それぞれ基準ユニットＢと平面形状とその大きさが異なる平面矩形状の建物ユニット１，２を、その長辺方向において２個隣接するとともに領域Ａ１に隙間を生じさせることなく配置し、かつ、短辺方向において適当な間隔Ｌ１をもって離し置きする。
建物ユニット１は、縦の長さが２．５Ｍ（モジュール）、横の長さが４Ｍ（モジュール）であり、建物ユニット２は、縦の長さが２．５Ｍ（モジュール）、横の長さが４．５Ｍ（モジュール）である。したがって、領域Ａ１に配置される全ての建物ユニット１，２の短辺方向の長さが等しくなっている。また、前記間隔Ｌは２．５Ｍ（モジュール）となっている。
前記領域Ａ１の長辺は、基準領域Ａの長辺より短く、領域Ａ１の短辺は基準領域Ａの短辺より長いので、これに伴って、建物ユニット１，１間の間隔Ｌ１も、前記基準領域Ａの場合における間隔Ｌより長くなっている。
【００２３】
ここで、建物ユニット１は、例えば図３に示すように、４本の柱１０と、これらの柱１０の上端間どうしを結合する４本の天井梁１１と、柱１０の下端間どうしを結合する４本の床梁１２とを備えている。
４本の天井梁１１は、２本の長辺天井梁１１ａおよび長辺天井梁１１ａより短い２本の短辺天井梁１１ｂによって構成されている。４本の床梁１２は２本の長辺床梁１２ａおよび長辺床梁１２ａより短い２本の短辺床梁１２ｂによって構成されている。なお、柱１０は正方形筒状に形成されており、天井梁１１と床梁１２は、それぞれ断面コ字型に形成されている。
【００２４】
２本の長辺天井梁１１ａ，１１ａには、複数の天井小梁１３が架設されており、該天井小梁１３は長辺天井梁１１ａの長手方向に所定間隔で設けられている。これら天井小梁１３の下面には天井板１４が固定されている。
２本の長辺床梁１２ａ，１２ａには、複数の根太１５が架設されており、該根太１５は長辺床梁１２ａの長手方向に所定間隔で設けられている。これら根太１５の上面には床板１６が固定されている。
なお、柱１０の上端部と天井梁１１の端部とは柱頭接合部材１７によって接合され、柱１０の下端部と床梁１２の端部とは柱脚接合部材１８によって接合されている。
なお、建物ユニット２も建物ユニット１と同様に構成されている。
【００２５】
上記のような建物ユニット１，２を、領域Ａ１に上記のようにして配置した後、図２に示すように、建物ユニット１，２の短辺方向に適当な間隔Ｌ１をもって離し置きされた建物ユニット１，１（２，２）どうしを連結部材３で連結する。この連結部材３は縦方向に長尺な鉄骨等で形成されたものであり、平面視において、建物ユニット１，１（２，２）の対向する角部どうし、対向する長辺の中央部どうしを連結している。
また、本実施の形態では、ユニット式建物が２階であるので、１階の建物ユニット１，２上に同じ建物ユニット１，２を設置して連結し、建物ユニット１，２の短辺方向に適当な間隔Ｌ１をもって離し置きされた建物ユニット１，１（２，２）どうしを同様にして連結部材３で連結する。
【００２６】
なお、連結部材３は、建物ユニット１，１（２，２）の対向する天井梁１１，１１間および床梁１２，１２間においてそれぞれ配置されており、これらを連結している。
また、一つの建物ユニット２の天井部にセントラル換気装置本体が設けられている。このセントラル換気装置本体が設けられた建物ユニット２は図２において網掛けをして図示している。また、セントラル換気装置本体が設けられた建物ユニット２には、天井ブレースが設けられておらず、他の建物ユニット１，２は図示しない天井ブレースが互いに交差して設けられている。
【００２７】
図４（ａ）〜図４（ｃ）に示すように、前記セントラル換気装置本体２０は、建物ユニット２の隣り合う天井小梁１３，１３間に配置されており、その略上半分が石膏ボード等で形成された天井板１４より上方に位置しており、略下半分が天井板１４より下方に位置している。つまり、セントラル換気装置本体２０は天井半埋込み型となっている。
天井板１４は予め建物ユニット２に取り付けられているが、天井板１４のうち、図４（ａ）において網掛けで示す部分は、未艤装となっている、つまり網掛けで示す部分の天井板１４に矩形状の孔が形成されている。
【００２８】
そして、図４（ｃ）に示すように、前記孔の周囲の天井野縁２１上に、枠体の上面に面材が設けられてなる囲い部材２２が乗せられて取り付けられている。なお、囲い部材２２の面材には、予めグラスウール等の耐火材２３が取り付けられている。
この囲い部材２２に下方からセントラル換気装置本体２０の上半分が挿入され、下半分は前記孔の周囲に設けられた支持部２４に支持されている。セントラル換気装置本体２０の下方には、隠し板２５が配置され野縁２６に固定されている。なお、セントラル換気装置本体２０には、外部吸入配管や室内空気を外部に排気するための外部排気配管が接続されている。
なお、２階の一つの建物ユニット２の天井部にも、1階と同様にしてセントラル換気装置本体が設けられているが、セントラル換気装置本体は天井板１４より上側に設けられている、セントラル換気装置本体は天井埋込み型となっている。
【００２９】
本実施の形態によれば、面積Ｓ１を基準面積Ｓの９５％〜１００％とするとともに、平面形状を基準領域Ａの平面形状と異ならせた領域Ａ１に、その対向する二辺に沿って、それぞれ基準ユニットＢと平面形状とその大きさが異なる平面矩形状の建物ユニット１，２を、その長辺方向において２個隣接するとともに領域Ａ１に隙間を生じさせることなく配置し、かつ、短辺方向において適当な間隔Ｌ１をもって離し置きするので、領域Ａ１に対する建物ユニット１，２の配置状態は、基準領域Ａに対する基準建物Ｂの配置の配置状態に近似し、かつ、領域Ａ１の面積Ｓ１も基準面積Ｓの９５％〜１００％である。
したがって、建物ユニット１，２を配置すべき領域Ａ１の平面形状が基準領域Ａと異なっても、構造計算等をやり直すことなく、建物ユニット１，２を離し置きして配置できる。
【００３０】
また、領域Ａ１に配置される全ての建物ユニット１，２の短辺方向の長さが等しいので、領域Ａ１にその対向する二辺に沿って、それぞれ建物ユニット１，２を、その長辺方向において２個隣接配置した場合に、建物ユニット１，２の短辺方向において所定の間隔Ｌ１をもって離し置きした建物ユニット１，１（２，２）間の離間距離は一定となる。したがって、建物ユニット１，２（２，２）どうしを一定長さの連結部材３で容易に連結できる。
さらに、建物ユニット１，１（２，２）の短辺方向に適当な間隔Ｌ１をもって離し置きされた建物ユニット１，１（２，２）どうしを連結部材３によって連結することによって、建物ユニット１，１（２，２）間の距離を確実に保持できる。
【００３１】
また、所定の建物ユニット２の天井部にセントラル換気装置本体２０が設けられているので、建物ユニット１，２を配置すべき領域Ａ１の平面形状が基準領域Ａと異なっても、セントラル換気装置本体２０を備えたユニット式建物を容易に得ることができきる。
また、セントラル換気装置本体２０を設置すべき建物ユニット２には、天井ブレースが設けられていないので、セントラル換気装置本体２０を容易に設置することができる。
【００３２】
（第２の実施の形態）
図５は、本発明に係る建物ユニットの配置方法によって配置された建物ユニット１，４を示す平面図である。
建物ユニット１，４を配置すべき領域Ａ２は、平面視矩形状のものであり、縦の長さが７Ｍ（モジュール）、横の長さが９Ｍ（モジュール）となっている。したがって、この領域Ａ２の面積Ｓ２は７Ｍ×９Ｍ＝６３Ｍ2となっており、前記基準面積Ｓの６６Ｍ2の９５％である。
このように、建物ユニット１，４を配置すべき領域Ａ２の面積Ｓ２を基準面積Ｓの９５〜１００％の範囲とするとともに、領域Ａ２の平面形状を基準領域Ａの平面形状と異ならせている。
【００３３】
そして、領域Ａ２に、その対向する二辺（対向する長辺）に沿って、それぞれ基準ユニットＢと平面形状とその大きさが異なる平面矩形状の建物ユニット１，４を、その長辺方向において２個隣接配置し、かつ、短辺方向において適当な間隔Ｌ２をもって離し置きする。
建物ユニット１は、図２に示すものと同様に、縦の長さが２．５Ｍ（モジュール）、横の長さが４Ｍ（モジュール）であり、建物ユニット４は、縦の長さが２．５Ｍ（モジュール）、横の長さが５Ｍ（モジュール）である。したがって、領域Ａ２に配置される全ての建物ユニット１，４の短辺方向の長さが等しくなっている。また、前記間隔Ｌは２Ｍ（モジュール）である。
【００３４】
上記のようにして、領域Ａ２に建物ユニット１，４を配置した後、図５に示すように、建物ユニット１，４の短辺方向に適当な間隔Ｌ２をもって離し置きされた建物ユニット１，１（４，４）どうしを連結部材５で連結する。この連結部材５は平面視において、建物ユニット１，１（４，４）の対向する角部どうし、対向する長辺の中央部どうしを連結している。
また、一つの建物ユニット４の天井部に第１の実施の形態と同様にしてセントラル換気装置本体が設けられている。このセントラル換気装置本体が設けられた建物ユニット４は網掛けをして図示している。
本実施の形態では、前記第１の実施の形態と同様の効果を得ることができる。
【００３５】
（第３の実施の形態）
図６は、本発明に係る建物ユニットの配置方法によって配置された建物ユニット１，４を示す平面図である。
本実施の形態では、図２に示す建物ユニット１，２が配置される領域Ａ１に隣接して、１個の建物ユニット１を配置可能な追加領域ａが配置されている。
追加領域ａは、平面視矩形状のものであり、縦の長さが２．５Ｍ（モジュール）、横の長さが４Ｍ（モジュール）となっている。
そして、この追加領域ａに、縦の長さが２．５Ｍ（モジュール）、横の長さが４Ｍ（モジュール）の建物ユニット１を配置して、隣接する建物ユニット１と連結する。
【００３６】
本実施の形態によれば、前記第１の実施の形態と同様の効果に加えて、領域Ａ１に隣接して配置された追加領域ａに、１個の建物ユニット１を配置するので、建物ユニットを１個自由に付加できる。したがって、この建物ユニット１の上をルーフバルコニーとする場合等に有効である。
【符号の説明】
【００３７】
Ａ  基準領域
Ｂ  基準建物ユニット
Ａ１，Ａ２  領域
ａ  追加領域
Ｌ，Ｌ１，Ｌ２  間隔
１，２，４  建物ユニット
３，５  連結部材
２０  セントラル換気装置本
【図１】
2011256563.tif 000003
【図２】
2011256563.tif 000004
【図３】
2011256563.tif 000005
【図４】
2011256563.tif 000006
【図５】
2011256563.tif 000007
【図６】
2011256563.tif 000008